(57)【特許請求の範囲】
【請求項１】
無線通信のための方法であって、
無線チャネル上で送信された信号を受信することと、なお、前記信号は、パルスのシーケンスを備える；
前記パルスに対して利得値を適用し、各利得値についての各利得γｉ（ここで、ｉ＝１，．．．ｎｇ）と関連づけられたサイズ
【数１】
0005642796.tif 000011
のバイナリマトリクスを得ることと、なお、
【数２】
0005642796.tif 000012
期間は、各利得γｉとともに獲得され、前記バイナリマトリクスは、その各々の要素が０または１のマトリクスである；
その利得値について得られた前記バイナリマトリクスを使用して、各利得値についての確率ベクトルを生成することと；
前記確率ベクトルを使用して出力信号を生成することと；
を備え、
前記受信信号に対して前記利得値を適用することは、前記受信信号の各パルスについて前記利得値の各々を適用し、増幅された受信信号を生成することを備える、方法。
【請求項２】
前記利得値の範囲を決定することと；
前記範囲内の前記利得値のうちの最大利得値と最小利得値との比に基づいて、前記範囲内の異なる利得値の数を決定することと；
前記範囲内の前記最大利得値と前記最小利得値と前記異なる利得値の数に基づいて、前記範囲内の各利得値を決定することと；
をさらに備える請求項１に記載の方法。
【請求項３】
前記範囲内の前記異なる利得値の数は、信号対雑音比（ＳＮＲ）と前記受信信号の分散とに基づいて決定される、請求項２に記載の方法。
【請求項４】
利得値の前記範囲を決定することは、
前記生成された出力信号がゼロに等しくなるまで、前記受信信号の１つの期間から別の期間、利得値を指数関数的にスイープすること、
を備える、請求項２に記載の方法。
【請求項５】
利得値の前記範囲を決定することは、
前記受信信号に基づいて、前記最小利得値を決定することと、
前記最小利得値と定義された定数とに基づいて、前記最大利得値を決定することと、
を備える、請求項２に記載の方法。
【請求項６】
前記増幅された受信信号の１ビット量子化を実行すること、
をさらに備える、請求項１に記載の方法。
【請求項７】
各利得値についての前記確率ベクトルの要素は、各利得値についての前記バイナリマトリクスの列の平均値としてコンピュートされる、請求項１に記載の方法。
【請求項８】
前記出力信号を生成することは、前記確率ベクトルを線形結合することを備える、請求項１に記載の方法。
【請求項９】
無線通信のための装置であって、
無線チャネル上で送信された信号を受信するように構成された受信機と、なお、前記信号はパルスのシーケンスを備える；
前記パルスに対して利得値を適用し、各利得値についての各利得γｉ（ここで、ｉ＝１，．．．ｎｇ）と関連づけられたサイズ
【数３】
0005642796.tif 000013
のバイナリマトリクスを得るように構成された増幅器と、なお、
【数４】
0005642796.tif 000014
期間は、各利得γｉとともに獲得され、前記バイナリマトリクスは、その各々の要素が０または１のマトリクスである；
その利得値について得られた前記バイナリマトリクスを使用して各利得値についての確率ベクトルを生成するように構成された第１の生成器と；
前記確率ベクトルを使用して出力信号を生成するように構成された第２の生成器と；
を備え、
前記受信信号に対して前記利得値を適用するように構成された前記増幅器は、前記受信信号の各パルスについて前記利得値の各々を適用し、増幅された受信信号を生成するように構成された回路を備える、装置。
【請求項１０】
前記利得値の範囲を決定するように構成された第１のプロセッサと；
前記範囲内の前記利得値のうちの最大利得値と最小利得値との比に基づいて前記範囲内の異なる利得値の数を決定するように構成された第２のプロセッサと；
前記範囲内の前記最大利得値と前記最小利得値と前記異なる利得値の数に基づいて、前記範囲内の各利得値を決定するように構成された第３のプロセッサ；
をさらに備える請求項９に記載の装置。
【請求項１１】
前記範囲内の前記異なる利得値の数は、信号対雑音比（ＳＮＲ）と前記受信信号の分散とに基づいて決定される、請求項１０に記載の装置。
【請求項１２】
利得値の前記範囲を決定するように構成された前記第１のプロセッサは、前記生成された出力信号がゼロに等しくなるまで、前記受信信号の１つの期間から別の期間、利得値を指数関数的にスイープするように構成された回路を備える、請求項１０に記載の装置。
【請求項１３】
利得値の前記範囲を決定するように構成された前記第１のプロセッサは、
前記受信信号に基づいて前記最小利得値を決定するように構成された第１の回路と、
前記最小利得値と定義された定数とに基づいて、前記最大利得値を決定するように構成された第２の回路と、
を備える、請求項１０に記載の装置。
【請求項１４】
前記増幅された受信信号の１ビット量子化を実行するように構成された量子化器、
をさらに備える請求項９に記載の装置。
【請求項１５】
各利得値についての前記確率ベクトルの要素は、各利得値についての前記バイナリマトリクスの列の平均値としてコンピュートされる、請求項９に記載の装置。
【請求項１６】
前記出力信号を生成するように構成された前記第２の生成器は、前記確率ベクトルを線形結合するように構成されたコンバイナを備える、請求項９に記載の装置。
【請求項１７】
無線通信のための装置であって、
無線チャネル上で送信された信号を受信するための手段と、なお、前記信号は、パルスのシーケンスを備える；
前記パルスに対して利得値を適用し、各利得値についての各利得γｉ（ここで、ｉ＝１，．．．ｎｇ）と関連づけられたサイズ
【数５】
0005642796.tif 000015
のバイナリマトリクスを得るための手段と、なお、
【数６】
0005642796.tif 000016
期間は、各利得γｉとともに獲得され、前記バイナリマトリクスは、その各々の要素が０または１のマトリクスである；
その利得値について得られた前記バイナリマトリクスを使用して、各利得値についての確率ベクトルを生成するための手段と；
前記確率ベクトルを使用して出力信号を生成するための手段と；
を備え、
前記受信信号に対して前記利得値を適用するための前記手段は、前記受信信号の各パルスについて前記利得値の各々を適用し、増幅された受信信号を生成するための手段を備える、無線通信のための装置。
【請求項１８】
前記利得値の範囲を決定するための手段と；
前記範囲内の前記利得値のうちの最大利得値と最小利得値との比に基づいて前記範囲内の異なる利得値の数を決定するための手段と；
前記範囲内の前記最大利得値と前記最小利得値と前記異なる利得値の数に基づいて、前記範囲内の各利得値を決定するための手段と；
をさらに備える請求項１７に記載の装置。
【請求項１９】
前記範囲内の前記異なる利得値の数は、信号対雑音比（ＳＮＲ）と前記受信信号の分散とに基づいて決定される、請求項１８に記載の装置。
【請求項２０】
利得値の前記範囲を決定するための手段は、前記生成された出力信号がゼロに等しくなるまで、前記受信信号の１つの期間から別の期間、利得値を指数関数的にスイープするための手段を備える、請求項１８に記載の装置。
【請求項２１】
利得値の前記範囲を決定するための手段は、
前記受信信号に基づいて前記最小利得値を決定するための手段と、
前記最小利得値と定義された定数とに基づいて、前記最大利得値を決定するための手段と、
を備える、請求項１８に記載の装置。
【請求項２２】
前記増幅された受信信号の１ビット量子化を実行するための手段、
をさらに備える、請求項１７に記載の装置。
【請求項２３】
各利得値についての前記確率ベクトルの要素は、各利得値についての前記バイナリマトリクスの列の平均値としてコンピュートされる、請求項１７に記載の装置。
【請求項２４】
前記出力信号を生成するための手段は、前記確率ベクトルを線形結合するための手段を備える、請求項１７に記載の装置。
【請求項２５】
無線通信のためのコンピュータ読取可能な記憶媒体であって、
無線チャネル上で送信された信号を受信し、なお、前記信号は、パルスのシーケンスを備える；
前記パルスに対して利得値を適用し、各利得値についての各利得γｉ（ここで、ｉ＝１，．．．ｎｇ）と関連づけられたサイズ
【数７】
0005642796.tif 000017
のバイナリマトリクスを取得し、なお、
【数８】
0005642796.tif 000018
期間は、各利得γｉとともに獲得され、前記バイナリマトリクスは、その各々の要素が０または１のマトリクスである；
その利得値について得られた前記バイナリマトリクスを使用して各利得値についての確率ベクトルを生成し；そして
前記確率ベクトルを使用して出力信号を生成する；
ために実行可能である命令を備え、
前記パルスに対して前記利得値を適用するために実行可能である前記命令は、前記受信信号の各パルスについて前記利得値の各々を適用し、増幅された受信信号を生成
するために実行可能である命令を備える、コンピュータ読取可能な記憶媒体。
【請求項２６】
無線チャネル上で送信された信号を受信するように構成された受信機と、なお、前記信号はパルスのシーケンスを備える；
前記パルスに対して利得値を適用し、各利得値についての各利得γｉ（ここで、ｉ＝１，．．．ｎｇ）と関連づけられたサイズ
【数９】
0005642796.tif 000019
のバイナリマトリクスを得るように構成された増幅器と、なお、
【数１０】
0005642796.tif 000020
期間は、各利得γｉとともに獲得され、前記バイナリマトリクスは、その各々の要素が０または１のマトリクスである；
その利得値について得られた前記バイナリマトリクスを使用して各利得値についての確率ベクトルを生成するように構成された第１の生成器と；
前記確率ベクトルを使用して出力信号を生成するように構成された第２の生成器と；
前記生成された出力信号に基づいて、オーディオ出力を提供するように構成されたトランスデューサと；
を備え、
前記パルスに対して前記利得値を適用するように構成された前記増幅器は、前記受信信号の各パルスについて前記利得値の各々を適用し、増幅された受信信号を生成するように構成された回路を備える、ヘッドセット。
【発明の詳細な説明】
【優先権主張】
【０００１】
(米国特許法の下の優先権主張)
本特許出願は、２００９年９月３０日に出願され、ここでの譲受人に譲渡され、ここにおける参照によってここで明示的に組み込まれる、仮出願第６１／２４７，１２８号（ドケット番号(Our Docket No.)：０９１６２８Ｐ１）の優先権を主張する。
【背景】
【０００２】
（分野）
本開示のある態様は、一般的には無線通信に関し、より具体的には、１ビット量子化器(one-bit quantizer)を利用することにより、高解像度を備えた受信パルス信号を量子化することに関する。
【０００３】
（背景）
ウルトラワイドバンド（ＵＷＢ）通信は、５００ＭＨｚよりも大きい周波数帯域幅を使用する無線通信である。キャリア周波数の変調に依存する狭帯域通信と比べて、ＵＷＢ通信の大きな帯域幅は、時間において十分に局在化された特性(features well-localized in time)で信号を送ることを可能にする。信号が時間においてより局在化される場合には、周波数においてはより広がっている（more spread in frequency）。このことは、パルスに基づく通信を可能にし、情報は、パルス間の距離において（すなわち、パルス位置変調：ＰＰＭ）、パルス振幅において（すなわち、パルス振幅変調：ＰＡＭ）、または、パルス幅において（すなわち、パルス幅変調：ＰＷＭ）、符号化されることができる。パルスベースの通信の主要な利点の１つは、情報の到達(すなわち、パルスの到達)の時刻を正確に局在化することができることである。
【０００４】
アナログ受信されたＵＷＢパルス信号の量子化は、低いコスト、および低い電力損失a low cost and low power dissipation)でインプリメントされることが望ましい。これらの必要要件を達成するために、量子化ビットの数(a number of quantization bits)は、小さいことを必要とする。しかしながら、小さい量子化ビットの数(the small number of quantization bits)は、デジタル化されたＵＷＢパルス信号における歪みを導入する可能性があり、再構成の精度(reconstruction accuracy)に悪影響を与えることがあり得る、
本開示では、限定された量子化ビットの数(a limited number of quantization bits)を使用することにより、ＵＷＢ受信機における周期的なパルス信号を量子化し、同時に、受信パルス信号の情報が正確な信号再構成のために維持される方法が提示されている。
【発明の概要】
【０００５】
ある態様は、無線通信のための方法を提供する。本方法は、一般的に、無線チャネル上で送信された信号を受信することと、なお、信号は、パルスのシーケンス(a sequence of pulses)を備える；パルスに対して利得値(gain values)を適用し、各利得値についてのバイナリマトリクス(a binary matrix)を得ることと；その利得値について得られたバイナリマトリクスを使用して各利得値についての確率ベクトル(a probability vector)を生成することと；確率ベクトルを使用して出力信号を生成することと；を含む。
【０００６】
ある態様は、無線通信のための装置を提供する。本装置は、一般的に、無線チャネル上で送信された信号を受信するように構成された受信機と、なお、信号は、パルスのシーケンスを備える；パルスに対して利得値を適用し、各利得値についてのバイナリマトリクスを得るように構成された増幅器と；その利得値について得られたバイナリマトリクスを使用して各利得値についての確率ベクトルを生成するように構成された第１の生成器と；確率ベクトルを使用して出力信号を生成するように構成された第２の生成器と；を含む。
【０００７】
ある態様は、無線通信のための装置を提供する。本装置は、一般的に、無線チャネル上で送信された信号を受信するための手段と、なお、信号は、パルスのシーケンスを備える；パルスに対して利得値を適用し、各利得値についてのバイナリマトリクスを得るための手段と；その利得値について得られたバイナリマトリクスを使用して各利得値についての確率ベクトルを生成するための手段と；確率ベクトルを使用して出力信号を生成するための手段と；を含む。
【０００８】
ある態様は、無線通信のためのコンピュータプログラムプロダクトを提供する。コンピュータプログラムプロダクトは、無線チャネル上で送信された信号を受信し、なお、信号は、パルスのシーケンスを備える；パルスに対して利得値を適用して、各利得値についてのバイナリマトリクスを取得し；その利得値について得られたバイナリマトリクスを使用して各利得値についての確率ベクトルを生成し；確率ベクトルを使用して出力信号を生成する；ために実行可能な命令を備えるコンピュータ可読媒体を含む。
【０００９】
ある態様は、ヘッドセットを提供する。ヘッドセットは、一般的に、無線チャネル上で送信された信号を受信するように構成された受信機と、なお、信号はパルスのシーケンスを備える；パルスに対して利得値を適用し、各利得値についてのバイナリマトリクスを得るように構成された増幅器と；その利得値について得られたバイナリマトリクスを使用して各利得値についての確率ベクトルを生成するように構成された第１の生成器と；確率ベクトルを使用して出力信号を生成するように構成された第２の生成器と；生成された出力信号に基づいて、オーディオ出力を提供するように構成されたトランスデューサと；を含む。
【００１０】
本開示の上述の特徴が詳細に理解されることができるように、上記で簡単に要約されるより具体的な説明が、複数の態様を参照することによってなされ、それらのうちのいくつかは、添付図面の中で図示される。しかしながら、本説明は他の同等に効果的な態様に対しても通用することができるため、添付の図面は、本開示のある典型的な態様のみを図示しており、したがって、その範囲を制限するものとはみなされない、ということに留意されるべきである。
【図面の簡単な説明】
【００１１】
【図１】図１は、本開示のある態様による例示的な無線通信システムを図示する。
【図２】図２は、本開示のある態様による無線デバイスにおいて使用されうる様々なコンポーネントを図示する。
【図３】図３は、本開示のある態様による、１ビット量子化器を使用して得られる複数のインコヒーレント・バイナリ・スライスからのシーケンシャルなＮビット量子化についての受信機セットアップ(a receiver setup)を図示する。
【図４】図４は、本開示のある態様に従い、複数のインコヒーレント・バイナリ・スライス(multiple incoherent binary slices)からのシーケンシャルなＮビット量子化についての例示的なオペレーションを図示する。
【図４Ａ】図４Ａは、図４で図示されたオペレーションを実行することができる例示的なコンポーネントを図示する。
【詳細な説明】
【００１２】
本開示の様々な態様は、図面を参照して後でより詳細に説明される。しかしながら、本開示は、多くの異なる形式で具現化されうる、また、本開示全体で提示されるいずれの具体的な構造または機能に限定されるように解釈されるべきではない。むしろ、これらの態様は本開示が徹底的に完全となるように提供され、当業者に対して本開示の範囲を十分に伝える。ここにおける教示に基づいて、当業者は、本開示のいずれの他の態様と組み合わせてまたは独立してインプリメントされるにかかわらず、本開示の範囲がここで開示された本開示のいずれの態様もカバーするように意図されるということを理解すべきである。例えば、ここにおいて記載される任意の数の態様を使用して、本装置はインプリメントされうる、または、方法は実行されうる。さらに、本開示の範囲は、ここに記載された本開示の様々な態様のほかにまたは加えて他の構造、機能、または構造および機能を使用して実行されるこのような装置または方法をカバーするように意図される。ここにおいて開示された本開示のいずれの態様も特許請求の範囲の１つまたは複数の構成要素によって具現化されうるということは理解されるべきである。
【００１３】
用語「例示的な(exemplary)」は、「例(example)、インスタンス(instance)、または例証(illustration)として機能していること」を意味するように、ここでは使用されている。「例示的な(exemplary)」としてここで説明されるいずれの態様も、他の態様よりも、好ましいまたは有利であるものとして、必ずしも解釈されるべきではない。
【００１４】
特定の態様がここで説明されているが、これらの態様の多くの変形および置き換えは、本開示の範囲内にある。好ましい態様のうちのいくつかの利益および利点が述べられているが、本開示の範囲は、特定の利益、使用、または、目的に限定されるように意図されていない。むしろ、本開示の態様は、異なる無線技術、システム構成、ネットワーク、および伝送プロトコルに広く適用可能であるように意図されており、それらのうちのいくつかは、図面で、また、好ましい態様の下記の説明で、例として説明されている。詳細な説明および図面は、限定というよりはむしろ本開示の説明にすぎず、本開示の範囲は、特許請求の範囲とその同等物によって定義される。
【００１５】
例示的な無線通信システム(AN EXAMPLE WIRELESS COMMUNICATION SYSTEM)
ここで説明された技法は、シングルキャリア送信に基づいている通信システムを含む様々なブロードバンド無線通信システムのために使用されうる。ここで開示された態様は、ミリメートル波信号を含むウルトラワイドバンド（ＵＷＢ）信号を利用するシステムに有益でありうる。しかしながら、本開示は、他の符号化された信号が同様な利益を得ることができるように、このようなシステムに限定されるように意図されていない。
【００１６】
ここにおける教示は、様々な有線または無線の装置(例、ノード)に組み込まれうる(例、様々な有線または無線の装置内でインプリメントされる、または、様々な有線または無線の装置によって実行される)。いくつかの態様では、ここにおける教示にしたがってインプリメントされるノードは、アクセスポイントまたはアクセス端末を備えることができる。
【００１７】
アクセス端末（「ＡＴ」）は、アクセス端末、加入者局、加入者ユニット、モバイル局、遠隔局、遠隔端末、ユーザ端末、ユーザエージェント、ユーザデバイス、ユーザ機器、または何らかの他の用語、を備え、これらとしてインプリメントされ、または、これらとして知られうる。いくつかのインプリメンテーションでは、アクセス端末は、携帯電話、コードレス電話、セッション・イニシエーション・プロトコル（「ＳＩＰ」）フォン、ワイヤレス・ローカル・ループ（「ＷＬＬ」）局、携帯情報端末（「ＰＤＡ」）、無線接続機能を有するハンドヘルドデバイス、あるいは、無線モデムに接続された他のある適切な処理デバイスを備えうる。したがって、ここで教示された１以上の態様は、電話（例、携帯電話またはスマートフォン）、コンピュータ（例、ラップトップ）、ポータブル通信デバイス、ポータブルコンピューティングデバイス（例、携帯情報端末）、エンタテイメントデバイス（例、ミュージックまたはビデオデバイス、または、衛星ラジオ）、全地球測位システムデバイス、ヘッドセット、センサまたは、無線または有線の媒体によって通信するように構成されるいずれの他の適切なデバイス、に組み込まれうる。いくつかの態様では、ノードは無線ノードである。このような無線ノードは、例えば、有線または無線の通信リンクによって、ネットワーク(例、インターネットまたはセルラネットワークのような広域ネットワーク)に対して、またはネットワークのために、接続を提供することができる。
【００１８】
図１は、本開示の態様が利用されうる無線通信システム１００（すなわちピコネット１(a Piconet 1)）の例を図示する。図示されるように、ピコネット１は、相対的に短距離な無線リンク１０４を使用して互いに通信することができる、多数の無線デバイス１０２または「端末」１Ａ−１Ｅを含むことができる。図示された例では、端末１Ｅは、ピコネット１についてのＰＮＣとして作用する。５つのデバイスで図示されているが、任意の数のデバイス（すなわち２つまたはそれよりも多い）がワイヤレスパーソナルエリアネットワークを形成しうるということは理解されるべきである。
【００１９】
ピコネット１内の端末１０２の各々は、とりわけ、無線通信をサポートする無線トランシーバとネットワークとの通信を管理するコントローラ機能とを含めうる。コントローラの機能は、１つまたは複数のデジタル処理デバイス内でインプリメントされうる。無線トランシーバは、無線チャネルへの信号の送信、および、無線チャネルからの信号の受信を容易にするために、１つまたは複数のアンテナに結合されうる。例えば、ダイポール、パッチ、ヘリカルアンテナ、アンテナアレイおよび/または、他のものを含む、任意のタイプのアンテナが使用されうる。
【００２０】
ピコネット１内のデバイスは、多種多様の異なるデバイスタイプのいずれかを含むことができ、例えば、無線ネットワーキング機能を有するラップトップ、デスクトップ、パルムトップ、またはタブレットコンピュータ、無線ネットワーキング機能を有するコンピュータ周辺機器、無線ネットワーキング機能を有する携帯情報端末（ＰＤＡ）、セルラ電話および他のハンドヘルド無線コミュニケータ、ページャ、より大きなシステムに組み入れられる無線ネットワークインタフェースモジュール（例、無線ネットワークインタフェースカード等）、無線ネットワーキング機能を有するマルチメディアデバイス、無線ネットワーキング機能を有するオーディオ／ビジュアルデバイス、無線ネットワーキング機能を有するホームアプライアンス、無線ネットワーキング機能を有する装身具または他の装着可能なアイテム、無線ユニバーサルシリアルバス（ＵＳＢ）デバイス、無線デジタルイメージングデバイス（例、デジタルカメラ、カムコーダなど）、無線プリンタ、無線のホームエンタテイメントシステム（例、ＤＶＤ／ＣＤプレイヤー、テレビ、ＭＰ３プレイヤー、オーディオデバイス等）、および／または他のもの、を含む。ある構成では、例えば、ワイヤレスパーソナルエリアネットワークは、ユーザの携帯情報端末（ＰＤＡ）と短距離ネットワークにあるユーザのプリンタと無線で通信しているユーザのラップコンピュータを含めうる。別の可能な構成では、ワイヤレスパーソナルエリアネットワークは、例えば、ユーザのリビングルームで様々なオーディオ/ビジュアルデバイス間で形成されうる。さらに別の構成では、ユーザのラップトップコンピュータは、ユーザの近くにいる他のユーザと関連づけられた端末と通信しうる。多くの他のシナリオもまた可能である。
【００２１】
ワイヤレスパーソナルエリアネットワークの一部（例、Ｂｌｕｅｔｏｏｔｈ（登録商標）規格（Ｂｌｕｅｔｏｏｔｈシステムの仕様，バージョン３．０，Ｂｌｕｅｔｏｏｔｈ ＳＩＧ，Ｉｎｃ．，２００９年４月）、ＩＥＥＥ８０２．１５規格等）として動作することができる相互運用可能な製品の改良をサポートするためのフレームワークを提供するために、規格は改良され、現在も改良段階にある。ＩＥＥＥ８０２．１５．３ｃ規格は、例えば、高速データレートワイヤレスパーソナルエリアネットワーク規格である。ＩＥＥＥ８０２．１５．３ｃ規格にしたがって、ピコネット内の端末のうちの１つが、ネットワークのオペレーションを調整するために、ピコネット・コーディネータ（ＰＮＣ）として選択される。例えば、図１を参照すると、デバイスＰＮＣ １Ｅは、ＩＥＥＥ８０２．１５．３ｃインプリメンテーションにおけるピコネット１についてのＰＮＣを表す。
【００２２】
図示されるように、ＰＮＣ １Ｅは、ピコネット１の他のデバイスに、ビーコン信号１１０（あるいは単に「ビーコン(beacon)」）を送信することができ、ピコネット１内の他の端末がそれらのタイミングをＰＮＣ １Ｅと同期化することを手助けすることができる。したがって、各スーパーフレームの始まりに一般的に送られるビーコンは、ピコネット内の端末を時間同期化するために使用されうる情報を含む。ＰＮＣを含むピコネット内の各端末は、そのスーパーフレームクロックをビーコンプリアンブルの始まりのときにゼロにリセットすることができる。端末がビーコンをヒアリング(hear)しない場合には、それは、そのスーパーフレームクロックを、ビーコンプリアンブルの始まりをヒアリングすることが予期される瞬間に、（前のスーパーフレームタイミングに基づいて）ゼロにリセットすることができる。
【００２３】
さらに、端末１０２は、ピア・ツー・ピア構成において互いに通信することができる。例えば、デバイスＤＥＶ １Ｃは、リンク１０４を使用して、デバイスＤＥＶ １Ｄと通信状態にある場合がある。ピア・ツー・ピアのアドホックネットワークでは、ネットワーク１００におけるデバイスＤＥＶ  １ＣおよびＤＥＶ  １Ｄのような互いの範囲内にあるデバイス（ノード）は、ＰＮＣ  １Ｅのようなアクセスポイント、および／または、それらの通信をリレーする有線インフラストラクチャなしに、互いに直接通信することができる。さらに、ピアデバイスまたはノードは、トラヒックをリレーすることができる。ピア・ツー・ピア式で通信するネットワーク１００内のデバイス１０２は、トラヒックがその最終の宛先に到達するまで、基地局と同様に機能し、基地局と同様に機能する他のデバイスへトラヒックまたは通信をリレーすることができる。デバイスはまた、ピアノード間のデータ伝送を管理するために使用されることができる情報を搬送する制御チャネルを送信することができる。
【００２４】
通信ネットワーク１００は、無線(または有線)通信状態にある任意の数のデバイスまたはノードを含むことができる。各ノードは、１つまたは複数の他のノードの範囲内にあることができる、そして、マルチホップトポグラフィにおけるような他のノードの使用を通じてまたは他のノードと通信することができる(例、通信は、最終の宛先に到達するまでノードからノードへとホップすることができる)。例えば、送信元ノードが受信元ノードと通信したいとする。送信元ノードおよび受信元ノードとの間のパケット移送を可能にするために、１つまたは複数の中間ノードが使用されることができる。いずれのノードも送信元ノードおよび/または受信元ノードであることができ、実質的に同じ時間に(例、情報を受信するのと同じ時間ごろに情報をブロードキャストまたは通信することができる)または異なる時間に、情報を送信および/または受信のいずれかの機能を実行することができる、ということが理解されるべきである。
【００２５】
図２は、無線通信システム１００内で利用されうる無線デバイス２０２において使用されうる様々なコンポーネントを図示する。無線デバイス２０２は、ここにおいて説明される様々な方法をインプリメントするように構成されうるデバイスの例である。無線デバイス２０２は、ピコネット１内のＰＮＣ １Ｅまたは端末１０２でありうる。
【００２６】
無線デバイス２０２は、無線デバイス２０２のオペレーションを制御するプロセッサ２０４を含めうる。プロセッサ２０４はまた、中央処理ユニット（ＣＰＵ）と呼ばれることがある。読み出し専用メモリ（ＲＯＭ）とランダムアクセスメモリ（ＲＡＭ）の両方を含めうる、メモリ２０６は、プロセッサ２０４に対し命令およびデータを提供する。メモリ２０６の一部分はまた、不揮発性ランダムアクセスメモリ（ＮＶＲＡＭ）を含めうる。プロセッサ２０４は、一般的に、メモリ２０６内に格納されたプログラム命令に基づいてロジカル且つアリスメティックなオペレーションを実行する。メモリ２０６内の命令は、ここで説明された方法をインプリメントすることが実行可能でありうる。
【００２７】
無線デバイス２０２はまた、無線デバイス２０２と遠隔ロケーションとの間でデータの送信および受信を可能にする、送信機２１０と受信機２１２とを含みうるハウジング２０８を含めうる。送信機２１０と受信機２１２はまた、トランシーバ２１４に組み込まれうる。アンテナ２１６は、ハウジング２０８にアタッチされ、トランシーバ２１４に電気的に結合されうる。無線デバイス２０２はまた、複数の送信機、複数の受信機、複数のトランシーバ、および／または複数のアンテナを含めうる（図示されず）。
【００２８】
無線デバイス２０２はまた、トランシーバ２１４によって受信される信号のレベルを検出し、定量化するために使用されうる信号検出器２１８を含めうる。信号検出器２１８は、総エネルギー、シンボルごとのサブキャリアあたりのエネルギー(energy per subcarrier per symbol)、電力スペクトル密度、および他の信号のような信号を検出しうる。無線デバイス２０２はまた、信号を処理することにおいて使用するために、デジタル信号プロセッサ（ＤＳＰ）２２０を含めうる。
【００２９】
無線デバイス２０２の様々なコンポーネントは、バスシステム２２２によって一緒に結合されうる、そしてそれは、データバスに加えて、パワーバス、制御信号バス、およびステータス信号バス、を含めうる。
【００３０】
無線システム１００によって実行されるウルトラワイドバンド（ＵＷＢ）通信は、５００ＭＨｚよりも大きい周波数帯域幅を使用する無線通信を備える。キャリア周波数の変調に依存する狭帯域通信と比べて、ＵＷＢ通信の大きな帯域幅は、時間において十分に局在化された特性で信号を送ることを可能にする。信号が時間においてより局在化される場合には、周波数においてより広がっている。このことは、パルスに基づく通信を可能にするが、情報は、パルス間の距離において（すなわち、パルス位置変調：ＰＰＭ）、パルス振幅において（すなわち、パルス振幅変調：ＰＡＭ）、または、パルス幅において（すなわち、パルス幅変調：ＰＷＭ）、符号化されることができる。パルスベースの通信の主要な利点の１つは、情報の到達時刻(すなわち、パルスの到達)を正確にローカライズすることができることである。
【００３１】
フィニート・レート・オブ・イノベーション(Finite Rate of Innovation; FRI)は、デバイス２０２のような典型的なウルトラワイドバンド（ＵＷＢ）デバイスによって受信された信号に適用されうる、パラメータに関する処理手法である。ＦＲＩ処理は、周期的シンク関数に基づいて量子化された（デジタル）入力信号を必要とする場合がある。そのため、ＵＷＢデバイスにおける受信信号は、ＦＲＩ処理モジュールへと入力される前に、適切に処理および調節される必要がある場合がある。本開示のある態様は、シーケンシャルな１ビット量子化に基づいて、受信信号の低コストおよび低電力量子化をサポートする。
【００３２】
複数のインコヒーレント・バイナリ・スライスからのシーケンシャル量子化(SEQUENTIAL QUANTIZATION FROM MULTIPLE INCOHERENT BINARY SLICES)
本開示のある態様は、１ビットの量子化器を使用して各信号期間のときに獲得したバイナリスライスからの未知の電力を用いて、雑音によって破損された波形を復元するための方法をサポートする。同じ波形が、ある伝送フレームから別の伝送フレームで、繰り返されうる。図３で図示される受信機セットアップは、利得ｇを伴う変数利得増幅器３１０を備え、その後にローパス・サンプリング・カーネル３２０が続く。ローパス・サンプリング・カーネル３２０の後に、トリガメカニズム(a trigger mechanism)を伴うサンプラ３３０が続く。サンプラ３３０の後に、固定閾値を伴った１ビット量子化器３４０が続く。サンプラ３３０は、信号期間よりも短い持続時間を用いて、時間期間について信号期間ごとにトリガされうる(may be triggered)。トリガ時間期間は、対称的なランダム摂動(random perturbation)を有することができる。
【００３３】
入力信号３０２は、平均μと標準偏差σを備えた、付加白色ガウス雑音（ＡＷＧＮ）によって破損されたパルス信号でありうる。信号対雑音比（ＳＮＲ）は、受信信号のエネルギーと雑音のエネルギーとの間の比を表す。量子化された出力信号３０４は、信号の各期間、提示されたアルゴリズム３５０に基づいて生成されうる、または、それは、信号期間の一部分をカバーするＭ個のバイナリサンプルのシーケンスによって表されうる。カバーされた部分は、対称的な、また場合によっては集中化していない分布Ｄにしたがって、ある期間から別の期間の間、変動することがある。この分布の平均は、ドリフトΔを表し、集中分布Ｄ−Δは、ジッター(a jitter)を表す。利用可能な期間の合計数は、Ｐ’で表されることができ、スイーププロシージャ(a sweep procedure)および２分サーチ(a dichotomic search)の後の期間の残りの数は、Ｐであり、ここでは、Ｐ＜Ｐ’である。２分サーチとは、バイナリサーチであり、２分サーチは、提示されたアルゴリズム３５０に対応するサーチアルゴリズムである。２分サーチは、以下に説明される。
【００３４】
本開示のある態様は、受信信号のピークに基づいて、最小利得値gminを決定することをサポートする。この値を決定するための提示された技法が後述される。
【００３５】
受信信号の強度(Intensity)は、オールゼロの出力(all-zero output)が得られるまで、１つの期間から別の期間の間(from one period to another)、利得ｇを指数関数的にスイープすること(sweeping exponentially)によって見出されうる。｛ｇ０，・・・，ｇｓ｝はスイープの間にカバーされる利得のシーケンスであると想定されることができるので、利得ｇ０は、入力信号３０２に適用される１ビット量子化器３４０の閾値が雑音レベル内（一般的にはμ±２σ内）にあることをもたらす最も高い全体的な利得値（すなわち、ｇｍａｘ＝ｇ０）を表すことができる。利得は、スイーププロシージャのＳ番目ステップでオールゼロの出力が得られるまで、値ｇ１，ｇ２，・・・ｇｓを有して指数関数的に減少されうる。その結果、最後のインターバル［ｇｓ−１  ｇｓ］は、最小利得値ｇｍｉｎを備えうる。
【００３６】
インターバル［ｇｓ−１  ｇｓ］は、望ましい量子化精度が得られるまで、２分サーチを利用することにより精製されうる。インターバルは、各サーチステップで半分に（もしくは可能な限り半分に近く）カットされうる、また、２分サーチの間にオールゼロの出力ベクトルを算出する最小利得（すなわち、最大閾値）はｇｍｉｎに対応しうる。
【００３７】
最大利得値ｇｍａｘは、前に決定された最大利得値ｇ０、前に決定された最小利得値ｇｍｉｎ、および予め定義された定数値に基づいて決定されうる。本開示の一態様では、ｇｍａｘは、ｇ０に等しく設定されうる。本開示の別の態様では、ｇｍａｘは、ｇｍｉｎと予め定義された定数値の積として設定されうる。いくつかの定数値は、利得値［ｇｍａｘ  ｇｍｉｎ］の範囲内のいくつかの利得値を得るために、最小利得値ｇｍｉｎに対して乗算されうる。
【００３８】
使用されるべき利得値の数ｎｇ（A number ｎｇof gain values to be used）は、比ｇｍａｘ／ｇｍｉｎにより決定されることができ、そしてそれは、周辺雑音(an ambient noise)が一定(constant)である（すなわち雑音分散(a noise variance)が固定である）と仮定すれば、単に、受信機における信号対雑音比（ＳＮＲ）に（すなわち受信信号電力に）、また、分布Ｄの分散
【数１】
0005642796.tif 000002
【００３９】
に依存する。利得値の数ｎｇは、比ｇｍａｘ／ｇｍｉｎで増加し得る、また
【数２】
0005642796.tif 000003
【００４０】
で減少し得る。(スイープおよび二分サーチ(dichotomic search)後の)量子化に使用される利得値のベクトルは、下記のように得られることができる。
【数３】
0005642796.tif 000004
【数４】
0005642796.tif 000005
【００４１】
期間は、γから各利得とともに獲得されうる。異なる利得値を伴う獲得は、時間においてインタリーブされうる。獲得の結果は、各利得γｉ，ｉ＝１，…ｎｇと関連づけられたサイズ
【数５】
0005642796.tif 000006
【００４２】
のバイナリマトリクスＢiで表されることができる。
【００４３】
１×Ｍベクトルｂiは、各列の平均を取ることにより、マトリクスＢiの各々から得られることができる。したがって、ベクトルｂiの各エントリは、マトリクスＢiの列あたり「レート(rate of ones)」と解釈されることができる。量子化された出力ベクトル
【数６】
0005642796.tif 000007
【００４４】
は、下記の式
【数７】
0005642796.tif 000008
【００４５】
として得られるので、
【数８】
0005642796.tif 000009
【００４６】
である。本開示のある態様は、ベクトルｂｉ，ｉ＝１，…ｎｇのうちすべてまたはいくつかを線形結合すること(linearly combining)により量子化された出力信号を得ることをサポートする。
【００４７】
出力信号は、当初送信されたパルス形信号を得るために、ジッター分布Ｄ−Δによって、さらにデコンボリュートされうる。デコンボリューションは、例えばウィーナ・ディコンボリューション・フィルタを利用することにより、実行されうる。
【００４８】
式（２）は、異なる利得を伴って得られたスライスがランダムに対にされる一方で、有効なスライスのみが保存される場合に生成される出力量子化値を提供する。例示的ケースとして、３つの異なる利得レベルｇ１，ｇ２，ｇ３が考えられることができ、また、式（２）で与えられた量子化された出力ｙＱの任意のｌ番目エントリの生成が考えられることができる。対応するバイナリマトリクスの列Ｂ１［：，ｌ］，Ｂ２［：，ｌ］，Ｂ３［：，ｌ］は、使用されることができ、ｇ１＞ｇ２＞ｇ３である。１つのエントリがこれら３つの列の各々からランダムに取り出される場合には、下記のスライスのベクトル、スライスの有効な組み合わせを表す［０  ０  ０］，［１  ０  ０］，［１  １  ０］または［１  １  １］がｇ１＞ｇ２＞ｇ３であるので得られることができる。［０  １  ０］または［１  ０  １］のような無効な結果が廃棄されうる。値ｉ／ｎｇは、スライスの各有効な組み合わせに割り当てられ、すなわち、式（２）で定義されるような、ｖｉ＝ｉ／ｎｇ、なお、ｉ＝ｌ，…ｎｇである。
【００４９】
この実験が多数回繰り返され、有効なベクトルの各々が２ビット均一量子化器からの１ワード、００→０，０１→１／３，１０→２／３，１１→１として解釈される場合には、平均量子化値は、確率的に、式（２）である傾向がある。この場合、下記が満たされうる。
【数９】
0005642796.tif 000010
【００５０】
なお、Ｔは、トライアル（実験）の数であり、ｖ（ｔ）はトライアル数ｔによって得られたｖｉ値を表し、Ｖ１は式（２）から得られた値である。
【００５１】
図４は、本開示のある態様による１ビット量子化器を使用して得られた複数のインコヒーレント・バイナリ・スライスからのシーケンシャルＮビット量子化に関する例示的なオペレーション４００を図示する。４１０で、無線チャネル上で送信された信号が受信されうる、なお、信号はパルスのシーケンスを備える。４２０で、利得値がパルスに対して適用され、各利得値についてのバイナリマトリクスを得られうる。４３０で、各利得値についての確率ベクトルは、その利得値について得られたバイナリマトリクスを使用して、生成されうる。４４０で、出力信号は、以前に生成された確率ベクトルを使用して生成されうる。例えば、量子化された出力信号は、式（１）によって定義されるように生成されうる。
【００５２】
上述された方法の様々なオペレーションは、対応する機能を実行することができるいずれの適切な手段によって実行されうる。手段は、ハードウェアおよび／またはソフトウェアコンポーネント（単数または複数）および／またはモジュール（単数または複数）を含むことができ、限定されてはいないが、回路、特定用途向け回路（ＡＳＩＣ）、またはプロセッサを含む。一般的に、図面の中で図示されるオペレーションがある場合には、これらのオペレーションは、同様な番号付けを伴う、対応するカウンターパートのミーンズ・プラス・ファンクションコンポーネントを有しうる。例えば、図４で図示されるブロック４１０〜４４０は、図４Ａで図示される回路ブロック４１０Ａ〜４４０Ａに対応する。
【００５３】
ここで使用されるように、用語「決定すること(determining)」は、多種多様な動作を包含する。例えば「決定すること(determining)」は、計算すること(calculating)、コンピュートすること(computing)、処理すること(processing)、導出すること(deriving)、調査すること(investigating)、ルックアップすること(looking up)(例、テーブル、データベース、または別のデータストラクチャにおいてルックアップすること)、確かめること(ascertaining)、および同様なもの、を含め得る。また「決定すること」は、受信すること(例、情報を受信すること)、アクセスすること(例、メモリのデータにアクセスすること)、および同様なものを含め得ることができる。また、「決定すること」は、解決すること(resolving)、選択すること(selecting)、選ぶこと(choosing)、確立すること(establishing)、および同様なものを含め得る。
【００５４】
ここで使用されるように、項目リストの「うちの少なくとも１つ(at least one of)」に関するフレーズは、単数メンバ(single members)を含む、これらの項目のうちの任意の組み合わせを指している。例えば、「ａ，ｂ，またはｃのうち少なくとも１つ(at least one of: a, b, or c)」は、ａ，ｂ，ｃ，ａ−ｂ，ａ−ｃ，ｂ−ｃ，およびａ−ｂ−ｃをカバーするように意図されている。
【００５５】
上述された方法の様々なオペレーションは、様々なハードウェアおよび/またはソフトウェアコンポーネント(単数または複数)、回路、および/またはモジュール(単数または複数)のようなオペレーションを実行することができるいずれの適切な手段によって実行されうる。一般に、図面で図示されるいずれのオペレーションも、オペレーションを実行することができる対応する機能手段によって実行されうる。
【００５６】
本開示に関連して説明された様々な説明のための論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）、あるいは他のプログラマブル論理デバイス（ＰＬＤ）、ディスクリートゲートあるいはトランジスタロジック、ディスクリートハードウェアコンポーネント、あるいは、ここで説明された機能を実行するように設計されたそれらのいずれの組み合わせ、でインプリメントされうる、または実行されうる。汎用プロセッサは、マイクロプロセッサでありうるが、別の方法では、プロセッサは、いずれの商業的に利用可能なプロセッサ、コントローラ、マイクロコントローラ、あるいはステートマシン(state machine)でありうる。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされうる。
【００５７】
本開示に関連して説明された方法またはアルゴリズムのステップは、直接ハードウェアで、プロセッサによって実行されたソフトウェアモジュールで、あるいは２つの組み合わせで、具現化されることができる。ソフトウェアモジュールは、当技術分野で知られている任意の形態のストレージ媒体において存在しうる。使用されうるストレージ媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、などを含む。ソフトウェアモジュールは、１つの命令または多くの命令を備えうる、また、いくつかの異なるコードセグメント上で、異なるプログラムの中で、そして、複数の記憶媒体にわたって、分散しうる。ストレージ媒体は、プロセッサがストレージ媒体から情報を読み取り、ストレージに情報を書き込むことができるように、プロセッサに結合されうる。あるいは、ストレージ媒体は、プロセッサに一体化されうる。
【００５８】
ここにおいて開示される方法は、説明される方法を達成するための１つまたは複数のステップまたは動作を備える。方法のステップおよび/または動作は、特許請求の範囲から逸脱することなく、互いに置き換えられうる。言いかえれば、ステップまたは動作の具体的な順序が指定されない限り、具体的なステップおよび/または動作の順序および/または使用は、特許請求の範囲から逸脱することなく修正されうる。
【００５９】
説明された機能は、ハードウェア、ソフトウェア、ファームウェアあるいはそれらのいずれかの組み合わせにおいてインプリメントされうる。ソフトウェアでインプリメントされる場合には、機能は、コンピュータ可読媒体上で、１つまたは複数の命令として、格納されうる。ストレージ媒体は、コンピュータによってアクセスされることができる、いずれの利用可能な媒体でありうる。例であって、限定ではないが、このようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータ構造の形で所望のプログラムコードを格納または搬送するために使用されることができる、また、コンピュータによってアクセスされることができる、任意の他の媒体を備えることができる。ここで使用されるように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)(ＤＶＤ)、フロッピー(登録商標)ディスク(disk)およびブルーレイディスク(Blu-ray disc)を含み、「ディスク(disks)」は、大抵、データを磁気的に再生し、「ディスク(discs)」は、レーザーで光学的に再生する。
【００６０】
したがって、ある態様は、ここにおいて提示されるオペレーションを実行するためのコンピュータプログラムプロダクトを備えうる。例えば、このようなコンピュータプログラムプロダクトは、命令が格納されている（および／または符号化されている）コンピュータ可読媒体を備えうる、命令は、ここにおいて記載されるオペレーションを実行するように１つまたは複数のプロセッサによって実行可能である。ある態様については、コンピュータプログラムプロダクトは、パッケージング材料を含めうる。
【００６１】
ソフトウェアまたは命令はまた、伝送媒体上で送信されうる。例えば、ソフトウェアがウェブサイト、サーバ、あるいは、同軸ケーブル、光ファイバーケーブル、ツイストペア(twisted pair)、デジタル加入者ライン(digital subscriber line)（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術が伝送媒体の定義に含まれる。
【００６２】
さらに、ここで説明された方法および技法を実行するためのモジュールおよび/または他の適切な手段は、ダウンロードされることができる、および/または、そうでない場合には、規定どおりにユーザ端末および/または基地局によって得られる、ということは理解されるべきである。例えば、このようなデバイスは、ここで説明された方法を実行するための手段の移送を容易にするためにサーバに結合されることができる。あるいは、ここで説明された様々な方法は、ストレージ手段（例、ＲＡＭ、ＲＯＭ、コンパクトディスク（ＣＤ）またはフロッピーディスクのような物理ストレージ媒体等）を介して提供されることができるので、ユーザ端末および／または基地局は、デバイスにストレージ手段を結合または提供するときに、様々な方法を得ることができる。さらに、デバイスに対してここで説明された方法および技法を提供するための任意の他の適切な技術が使用されることができる。
【００６３】
本願請求項は、上記で図示された厳密な構成およびコンポーネントに限定されていないということは理解されるべきである。様々な修正、変更、および変形は、特許請求の範囲から逸脱することなく、上記で説明された方法および装置の配置、オペレーション、および細部の中で行われうる。
以下に、出願当初の特許請求の範囲に記載された発明を付記する。
［Ｃ１］  
無線通信のための方法であって、
無線チャネル上で送信された信号を受信することと、なお、前記信号は、パルスのシーケンスを備える；
前記パルスに対して利得値を適用し、各利得値についてのバイナリマトリクスを得ることと；
その利得値について得られた前記バイナリマトリクスを使用して、各利得値についての確率ベクトルを生成することと；
前記確率ベクトルを使用して出力信号を生成することと；
を備える方法。
［Ｃ２］  
前記利得値の範囲を決定することと；
前記範囲内の前記利得値のうちの最大利得値と最小利得値との比に基づいて、前記範囲内の異なる利得値の数を決定することと；
前記範囲内の前記最大利得値と前記最小利得値と前記異なる利得値の数に基づいて、前記範囲内の各利得値を決定することと；
をさらに備えるＣ１に記載の方法。
［Ｃ３］  
前記範囲内の前記異なる利得値の数は、信号対雑音比（ＳＮＲ）と前記受信信号の分散とに基づいて決定される、Ｃ２に記載の方法。
［Ｃ４］  
利得値の前記範囲を決定することは、
前記生成された出力信号がゼロに等しくなるまで、前記受信信号の１つの期間から別の期間、利得値を指数関数的にスイープすること、
を備える、Ｃ２に記載の方法。
［Ｃ５］  
利得値の前記範囲を決定することは、
前記受信信号に基づいて、前記最小利得値を決定することと、
前記最小利得値と定義された定数とに基づいて、前記最大利得値を決定することと、
を備える、Ｃ２に記載の方法。
［Ｃ６］  
前記受信信号に対して前記利得値を適用することは、
前記受信信号の各パルスについて前記利得値のうち１つを適用し、増幅された受信信号を生成すること、
を備える、Ｃ１に記載の方法。
［Ｃ７］  
前記増幅された受信信号の１ビット量子化を実行すること、
をさらに備える、Ｃ６に記載の方法。
［Ｃ８］  
各利得値についての前記確率ベクトルの要素は、各利得値についての前記バイナリマトリクスの列の平均値としてコンピュートされる、Ｃ１に記載の方法。
［Ｃ９］  
前記出力信号を生成することは、前記確率ベクトルを線形結合することを備える、Ｃ１に記載の方法。
［Ｃ１０］  
無線通信のための装置であって、
無線チャネル上で送信された信号を受信するように構成された受信機と、なお、前記信号はパルスのシーケンスを備える；
前記パルスに対して利得値を適用し、各利得値についてのバイナリマトリクスを得るように構成された増幅器と；
その利得値について得られた前記バイナリマトリクスを使用して各利得値についての確率ベクトルを生成するように構成された第１の生成器と；
前記確率ベクトルを使用して出力信号を生成するように構成された第２の生成器と；
を備える装置。
［Ｃ１１］  
前記利得値の範囲を決定するように構成された第１のプロセッサと；
前記範囲内の前記利得値のうちの最大利得値と最小利得値との比に基づいて前記範囲内の異なる利得値の数を決定するように構成された第２のプロセッサと；
前記範囲内の前記最大利得値と前記最小利得値と前記異なる利得値の数に基づいて、前記範囲内の各利得値を決定するように構成された第３のプロセッサ；
をさらに備えるＣ１０に記載の装置。
［Ｃ１２］  
前記範囲内の前記異なる利得値の数は、信号対雑音比（ＳＮＲ）と前記受信信号の分散とに基づいて決定される、Ｃ１１に記載の装置。
［Ｃ１３］  
利得値の前記範囲を決定するように構成された前記第１のプロセッサは、前記生成された出力信号がゼロに等しくなるまで、前記受信信号の１つの期間から別の期間、利得値を指数関数的にスイープするように構成された回路を備える、Ｃ１１に記載の装置。
［Ｃ１４］  
利得値の前記範囲を決定するように構成された前記第１のプロセッサは、
前記受信信号に基づいて前記最小利得値を決定するように構成された第１の回路と、
前記最小利得値と定義された定数とに基づいて、前記最大利得値を決定するように構成された第２の回路と、
を備える、Ｃ１１に記載の装置。
［Ｃ１５］  
前記受信信号に対して前記利得値を適用するように構成された前記増幅器は、
前記受信信号の各パルスについての前記利得値のうち１つを適用し、増幅された受信信号を生成するように構成された回路、を備える、
Ｃ１０に記載の装置。
［Ｃ１６］  
前記増幅された受信信号の１ビット量子化を実行するように構成された量子化器、
をさらに備えるＣ１５に記載の装置。
［Ｃ１７］  
各利得値についての前記確率ベクトルの要素は、各利得値についての前記バイナリマトリクスの列の平均値としてコンピュートされる、Ｃ１０に記載の装置。
［Ｃ１８］  
前記出力信号を生成するように構成された前記第２の生成器は、前記確率ベクトルを線形結合するように構成されたコンバイナを備える、Ｃ１０に記載の装置。
［Ｃ１９］  
無線通信のための装置であって、
無線チャネル上で送信された信号を受信するための手段と、なお、前記信号は、パルスのシーケンスを備える；
前記パルスに対して利得値を適用し、各利得値についてのバイナリマトリクスを得るための手段と；
その利得値について得られた前記バイナリマトリクスを使用して、各利得値についての確率ベクトルを生成するための手段と；
前記確率ベクトルを使用して出力信号を生成するための手段と；
を備える無線通信のための装置。
［Ｃ２０］  
前記利得値の範囲を決定するための手段と；
前記範囲内の前記利得値のうちの最大利得値と最小利得値との比に基づいて前記範囲内の異なる利得値の数を決定するための手段と；
前記範囲内の前記最大利得値と前記最小利得値と前記異なる利得値の数に基づいて、前記範囲内の各利得値を決定するための手段と；
をさらに備えるＣ１９に記載の装置。
［Ｃ２１］  
前記範囲内の前記異なる利得値の数は、信号対雑音比（ＳＮＲ）と前記受信信号の分散とに基づいて決定される、Ｃ２０に記載の装置。
［Ｃ２２］  
利得値の前記範囲を決定するための手段は、前記生成された出力信号がゼロに等しくなるまで、前記受信信号の１つの期間から別の期間、利得値を指数関数的にスイープするための手段を備える、Ｃ２０に記載の装置。
［Ｃ２３］  
利得値の前記範囲を決定するための手段は、
前記受信信号に基づいて前記最小利得値を決定するための手段と、
前記最小利得値と定義された定数とに基づいて、前記最大利得値を決定するための手段と、
を備える、Ｃ２０に記載の装置。
［Ｃ２４］  
前記受信信号に対して前記利得値を適用するための手段は、
前記受信信号の各パルスについての前記利得値のうち１つを適用し、増幅された受信信号を生成するための手段、
を備える、Ｃ１９に記載の装置。
［Ｃ２５］  
前記増幅された受信信号の１ビット量子化を実行するための手段、
をさらに備える、Ｃ２４に記載の装置。
［Ｃ２６］  
各利得値についての前記確率ベクトルの要素は、各利得値についての前記バイナリマトリクスの列の平均値としてコンピュートされる、Ｃ１９に記載の装置。
［Ｃ２７］  
前記出力信号を生成するための手段は、前記確率ベクトルを線形結合するための手段を備える、Ｃ１９に記載の装置。
［Ｃ２８］  
無線通信のためのコンピュータプログラムプロダクトであって、命令を備えるコンピュータ可読媒体を備え、前記命令は、
無線チャネル上で送信された信号を受信し、なお、前記信号は、パルスのシーケンスを備える；
前記パルスに対して利得値を適用し、各利得値についてのバイナリマトリクスを取得し；
その利得値について得られた前記バイナリマトリクスを使用して各利得値についての確率ベクトルを生成し；そして
前記確率ベクトルを使用して出力信号を生成する；
ために実行可能である、
コンピュータプログラムプロダクト。
［Ｃ２９］  
無線チャネル上で送信された信号を受信するように構成された受信機と、なお、前記信号はパルスのシーケンスを備える；
前記パルスに対して利得値を適用し、各利得値についてのバイナリマトリクスを得るように構成された増幅器と；
その利得値について得られた前記バイナリマトリクスを使用して各利得値についての確率ベクトルを生成するように構成された第１の生成器と；
前記確率ベクトルを使用して出力信号を生成するように構成された第２の生成器と；
前記生成された出力信号に基づいて、オーディオ出力を提供するように構成されたトランスデューサと；
を備えるヘッドセット。
【図１】
0005642796.tif 000021
【図２】
0005642796.tif 000022
【図３】
0005642796.tif 000023
【図４】
0005642796.tif 000024
【図４Ａ】
0005642796.tif 000025